(57)【要約】【課題】小型化することができる紙幣処理装置、および当該紙幣処理装置を用いた紙幣処理方法を提供する。【解決手段】  実施形態による紙幣処理装置１００は、装置本体部１と、装置本体部１内に設けられ、紙幣を搬送する搬送部３と、搬送部３に設けられ、搬送部３により搬送される紙幣の識別および計数を行う識別部４と、通常運用時において、識別部４により第１の金種であると識別された紙幣を収納し、収納した紙幣を繰り出す収納部５と、通常運用時において、識別部４により第２の金種であると識別された紙幣を収納し、収納した紙幣を繰り出す収納部６と、搬送部３を制御する制御部８とを備え、収納部５は、装置本体部１に着脱可能に構成されるとともに、回収動作時に収納部６から繰り出された第２の金種の紙幣を収納する。【選択図】図２
2016170668.tif 000002
【特許請求の範囲】
【請求項１】
装置本体部と、
前記装置本体部内に設けられ、紙幣を搬送する搬送部と、
前記搬送部に設けられ、前記搬送部により搬送される紙幣の識別および計数を行う識別部と、
通常運用時において、前記識別部により第１の金種であると識別された紙幣を収納し、収納した紙幣を繰り出す第１の収納部と、
前記通常運用時において、前記識別部により第２の金種であると識別された紙幣を収納し、収納した紙幣を繰り出す第２の収納部と、
前記搬送部を制御する制御部と、を備え、
前記第１の収納部は、前記装置本体部に着脱可能であるとともに、回収動作時に前記第２の収納部から繰り出された前記第２の金種の紙幣を収納することを特徴とする紙幣処理装置。
【請求項２】
金種ごとの紙幣の在高を確定する在高確定部をさらに備え、
前記識別部は、前記第１の収納部と前記第２の収納部との間における前記搬送部に設けられ、
前記回収動作時において、前記制御部が前記第１の収納部に収納された前記第１の金種の紙幣が前記第２の収納部に搬送されるように前記搬送部を制御するとともに、前記識別部が前記第１の収納部から前記第２の収納部に搬送される前記第１の金種の紙幣の枚数を計数し、前記識別部による計数が完了すると、前記在高確定部は前記第１の金種の紙幣の在高を確定し、その後、前記制御部は前記第２の収納部に収納された前記第１の金種の紙幣が前記第１の収納部に戻し入れられるように前記搬送部を制御し、その後、前記制御部が前記第２の収納部に収納された前記第２の金種の紙幣が前記第１の収納部に搬送されるように前記搬送部を制御するとともに、前記識別部が前記第２の収納部から前記第１の収納部に搬送される前記第２の金種の紙幣の枚数を計数し、前記識別部による計数が完了すると、前記在高確定部は前記第２の金種の紙幣の在高を確定することを特徴とする請求項１に記載の紙幣処理装置。
【請求項３】
金種ごとの紙幣の在高を確定する在高確定部をさらに備え、
前記識別部は、前記第１の収納部と前記第２の収納部との間における前記搬送部に設けられ、
前記回収動作時において、前記制御部は前記第１の収納部に収納された前記第１の金種の紙幣が前記第２の収納部に搬送されるように前記搬送部を制御し、その後、前記制御部が前記第２の収納部に収納された前記第１の金種の紙幣が前記第１の収納部に戻し入れられるように前記搬送部を制御するとともに、前記識別部が前記第２の収納部から前記第１の収納部に搬送される前記第１の金種の紙幣の枚数を計数し、前記識別部による計数が完了すると、前記在高確定部は前記第１の金種の紙幣の在高を確定し、その後、前記制御部が前記第２の収納部に収納された前記第２の金種の紙幣が前記第１の収納部に搬送されるように前記搬送部を制御するとともに、前記識別部が前記第２の収納部から前記第１の収納部に搬送される前記第２の金種の紙幣の枚数を計数し、前記識別部による計数が完了すると、前記在高確定部は前記第２の金種の紙幣の在高を確定することを特徴とする請求項１に記載の紙幣処理装置。
【請求項４】
金種ごとの紙幣の在高を確定する在高確定部と、
前記第１の収納部に収納されている前記第１の金種の紙幣の枚数または金額を入力する入力部と、をさらに備え、
前記回収動作時において、前記在高確定部は、前記入力部を介して入力された前記第１の金種の紙幣の枚数または金額に基づいて、前記第１の金種の紙幣の在高を確定し、その後、前記制御部が前記第２の収納部に収納された前記第２の金種の紙幣が前記第１の収納部に搬送されるように前記搬送部を制御するとともに、前記識別部が前記第２の収納部から前記第１の収納部に搬送される前記第２の金種の紙幣の枚数を計数し、前記識別部による計数が完了すると、前記在高確定部は前記第２の金種の紙幣の在高を確定することを特徴とする請求項１に記載の紙幣処理装置。
【請求項５】
前記第１の収納部は、補充動作時に前記第２の収納部に補充するための前記第２の金種の紙幣を繰り出すことを特徴とする請求項１〜４のいずれかに記載の紙幣処理装置。
【請求項６】
前記第１の収納部は、収納すべき紙幣を所定の面から繰り入れ、収納している紙幣を前記所定の面から繰り出すように構成されていることを特徴とする請求項１〜５のいずれかに記載の紙幣処理装置。
【請求項７】
前記通常運用時において、前記識別部により第３の金種であると識別された紙幣を収納し、収納した紙幣を繰り出す第３の収納部をさらに備え、
前記第１の収納部は、前記回収動作時に前記第３の収納部から繰り出された前記第３の金種の紙幣を収納し、前記補充動作時に前記第３の収納部に補充するための前記第３の金種の紙幣を繰り出すことを特徴とする請求項１に記載の紙幣処理装置。
【請求項８】
装置本体部と、
前記装置本体部内に設けられ、紙幣を搬送する搬送部と、
前記搬送部に設けられ、前記搬送部により搬送される紙幣の識別および計数を行う識別部と、
通常運用時において、前記識別部により第１の金種であると識別された紙幣を収納し、収納した紙幣を繰り出す第１の収納部と、
前記通常運用時において、前記識別部により第２の金種であると識別された紙幣を収納し、収納した紙幣を繰り出す第２の収納部と、
前記搬送部を制御する制御部と、を備え、
前記第１の収納部は、前記装置本体部に着脱可能であるとともに、補充動作時に前記第２の収納部に補充するための前記第２の金種の紙幣を繰り出すことを特徴とする紙幣処理装置。
【請求項９】
搬送部と、識別部と、通常運用時において、前記識別部により第１の金種であると識別された紙幣を収納し、収納した紙幣を繰り出す第１の収納部と、前記通常運用時において、前記識別部により第２の金種であると識別された紙幣を収納し、収納した紙幣を繰り出す第２の収納部と、前記搬送部を制御する制御部と、金種ごとの在高を確定する在高確定部と、を備える紙幣処理装置を用いた紙幣処理方法であって、
前記制御部が、前記第１の収納部に収納された前記第１の金種の紙幣が前記第２の収納部に搬送されるように前記搬送部を制御するステップと、
前記制御部が、前記第２の収納部に収納された前記第１の金種の紙幣が前記第１の収納部に戻し入れられるように前記搬送部を制御するとともに、前記識別部が、前記第２の収納部から前記第１の収納部に搬送される前記第１の金種の紙幣の枚数を計数するステップと、
前記識別部による計数が完了すると、前記在高確定部が、前記第１の金種の紙幣の在高を確定するステップと、
前記制御部が、前記第２の収納部に収納された前記第２の金種の紙幣が前記第１の収納部に搬送されるように前記搬送部を制御するとともに、前記識別部が前記第２の収納部から前記第１の収納部に搬送される前記第２の金種の紙幣の枚数を計数するステップと、
前記識別部による計数が完了すると、前記在高確定部が、前記第２の金種の紙幣の在高を確定するステップと、
を備えることを特徴とする紙幣処理方法。
【発明の詳細な説明】
【技術分野】
【０００１】
本発明は、紙幣処理装置および紙幣処理方法、より詳しくは、通常運用時において金種別の収納部として機能するとともに補充回収カセットとしても機能する収納部を有する紙幣処理装置、当該紙幣処理装置を用いた紙幣処理方法に関する。
【背景技術】
【０００２】
金融機関等で従来利用されている紙幣処理装置には、補充および回収の際に、補充回収用のカセット（以下、単に「補充回収カセット」という。）を取り付けるものがある（特許文献１）。補充回収カセットは、金種別収納部の機能とは異なる機能、即ち回収機能および補充機能を備えている。
【０００３】
上記の紙幣処理装置では、紙幣の補充時に、補充用の紙幣を収納した補充回収カセットを紙幣処理装置に取り付け、補充回収カセット内の紙幣を紙幣処理装置内に設けられた金種別の収納部に装填するとともに、紙幣の回収時に、空の補充回収カセットを紙幣処理装置に取り付け、金種別の収納部に収納された紙幣を補充回収カセットに回収する。
【先行技術文献】
【特許文献】
【０００４】
【特許文献１】特開２００１−１０１４８３号公報
【発明の概要】
【発明が解決しようとする課題】
【０００５】
しかしながら、特許文献１に記載の紙幣処理装置では、金種別の収納部とは異なる回収機能や補充機能を有するカセットを収容するためのスペースが装置内に必要になる。このため、紙幣処理装置が大型化してしまうという問題があった。
【０００６】
そこで、本発明は、小型化することができる紙幣処理装置、および当該紙幣処理装置を用いた紙幣処理方法を提供することを目的とする。
【課題を解決するための手段】
【０００７】
本発明に係る紙幣処理装置は、
装置本体部と、
前記装置本体部内に設けられ、紙幣を搬送する搬送部と、
前記搬送部に設けられ、前記搬送部により搬送される紙幣の識別および計数を行う識別部と、
通常運用時において、前記識別部により第１の金種であると識別された紙幣を収納し、収納した紙幣を繰り出す第１の収納部と、
前記通常運用時において、前記識別部により第２の金種であると識別された紙幣を収納し、収納した紙幣を繰り出す第２の収納部と、
前記搬送部を制御する制御部と、を備え、
前記第１の収納部は、前記装置本体部に着脱可能であるとともに、回収動作時に前記第２の収納部から繰り出された前記第２の金種の紙幣を収納することを特徴とする。
【０００８】
また、前記紙幣処理装置において、
金種ごとの紙幣の在高を確定する在高確定部をさらに備え、
前記識別部は、前記第１の収納部と前記第２の収納部との間における前記搬送部に設けられ、
前記回収動作時において、前記制御部が前記第１の収納部に収納された前記第１の金種の紙幣が前記第２の収納部に搬送されるように前記搬送部を制御するとともに、前記識別部が前記第１の収納部から前記第２の収納部に搬送される前記第１の金種の紙幣の枚数を計数し、前記識別部による計数が完了すると、前記在高確定部は前記第１の金種の紙幣の在高を確定し、その後、前記制御部は前記第２の収納部に収納された前記第１の金種の紙幣が前記第１の収納部に戻し入れられるように前記搬送部を制御し、その後、前記制御部が前記第２の収納部に収納された前記第２の金種の紙幣が前記第１の収納部に搬送されるように前記搬送部を制御するとともに、前記識別部が前記第２の収納部から前記第１の収納部に搬送される前記第２の金種の紙幣の枚数を計数し、前記識別部による計数が完了すると、前記在高確定部は前記第２の金種の紙幣の在高を確定するようにしてもよい。
【０００９】
また、前記紙幣処理装置において、
金種ごとの紙幣の在高を確定する在高確定部をさらに備え、
前記識別部は、前記第１の収納部と前記第２の収納部との間における前記搬送部に設けられ、
前記回収動作時において、前記制御部は前記第１の収納部に収納された前記第１の金種の紙幣が前記第２の収納部に搬送されるように前記搬送部を制御し、その後、前記制御部が前記第２の収納部に収納された前記第１の金種の紙幣が前記第１の収納部に戻し入れられるように前記搬送部を制御するとともに、前記識別部が前記第２の収納部から前記第１の収納部に搬送される前記第１の金種の紙幣の枚数を計数し、前記識別部による計数が完了すると、前記在高確定部は前記第１の金種の紙幣の在高を確定し、その後、前記制御部が前記第２の収納部に収納された前記第２の金種の紙幣が前記第１の収納部に搬送されるように前記搬送部を制御するとともに、前記識別部が前記第２の収納部から前記第１の収納部に搬送される前記第２の金種の紙幣の枚数を計数し、前記識別部による計数が完了すると、前記在高確定部は前記第２の金種の紙幣の在高を確定するようにしてもよい。
【００１０】
また、前記紙幣処理装置において、
金種ごとの紙幣の在高を確定する在高確定部と、
前記第１の収納部に収納されている前記第１の金種の紙幣の枚数または金額を入力する入力部と、をさらに備え、
前記回収動作時において、前記在高確定部は、前記入力部を介して入力された前記第１の金種の紙幣の枚数または金額に基づいて、前記第１の金種の紙幣の在高を確定し、その後、前記制御部が前記第２の収納部に収納された前記第２の金種の紙幣が前記第１の収納部に搬送されるように前記搬送部を制御するとともに、前記識別部が前記第２の収納部から前記第１の収納部に搬送される前記第２の金種の紙幣の枚数を計数し、前記識別部による計数が完了すると、前記在高確定部は前記第２の金種の紙幣の在高を確定するようにしてもよい。
【００１１】
また、前記紙幣処理装置において、
前記第１の収納部は、補充動作時に前記第２の収納部に補充するための前記第２の金種の紙幣を繰り出すようにしてもよい。
【００１２】
また、前記紙幣処理装置において、
前記第１の収納部は、収納すべき紙幣を所定の面から繰り入れ、収納している紙幣を前記所定の面から繰り出すように構成されてもよい。
【００１３】
また、前記紙幣処理装置において、
前記通常運用時において、前記識別部により第３の金種であると識別された紙幣を収納し、収納した紙幣を繰り出す第３の収納部をさらに備え、
前記第１の収納部は、前記回収動作時に前記第３の収納部から繰り出された前記第３の金種の紙幣を収納し、前記補充動作時に前記第３の収納部に補充するための前記第３の金種の紙幣を繰り出すようにしてもよい。
【００１４】
本発明に係る紙幣処理装置は、
装置本体部と、
前記装置本体部内に設けられ、紙幣を搬送する搬送部と、
前記搬送部に設けられ、前記搬送部により搬送される紙幣の識別および計数を行う識別部と、
通常運用時において、前記識別部により第１の金種であると識別された紙幣を収納し、収納した紙幣を繰り出す第１の収納部と、
前記通常運用時において、前記識別部により第２の金種であると識別された紙幣を収納し、収納した紙幣を繰り出す第２の収納部と、
前記搬送部を制御する制御部と、を備え、
前記第１の収納部は、前記装置本体部に着脱可能であるとともに、補充動作時に前記第２の収納部に補充するための前記第２の金種の紙幣を繰り出すことを特徴とする。
【００１５】
本発明に係る紙幣処理方法は、
搬送部と、識別部と、通常運用時において、前記識別部により第１の金種であると識別された紙幣を収納し、収納した紙幣を繰り出す第１の収納部と、前記通常運用時において、前記識別部により第２の金種であると識別された紙幣を収納し、収納した紙幣を繰り出す第２の収納部と、前記搬送部を制御する制御部と、金種ごとの在高を確定する在高確定部と、を備える紙幣処理装置を用いた紙幣処理方法であって、
前記制御部が、前記第１の収納部に収納された前記第１の金種の紙幣が前記第２の収納部に搬送されるように前記搬送部を制御するステップと、
前記制御部が、前記第２の収納部に収納された前記第１の金種の紙幣が前記第１の収納部に戻し入れられるように前記搬送部を制御するとともに、前記識別部が、前記第２の収納部から前記第１の収納部に搬送される前記第１の金種の紙幣の枚数を計数するステップと、
前記識別部による計数が完了すると、前記在高確定部が、前記第１の金種の紙幣の在高を確定するステップと、
前記制御部が、前記第２の収納部に収納された前記第２の金種の紙幣が前記第１の収納部に搬送されるように前記搬送部を制御するとともに、前記識別部が前記第２の収納部から前記第１の収納部に搬送される前記第２の金種の紙幣の枚数を計数するステップと、
前記識別部による計数が完了すると、前記在高確定部が、前記第２の金種の紙幣の在高を確定するステップと、
を備えることを特徴とする。
【発明の効果】
【００１６】
本発明では、第１の収納部が、識別部により第１の金種であると識別された紙幣を収納し、収納した紙幣を繰り出すように構成されている。さらに、第１の収納部は、装置本体部に着脱可能であり、回収動作時に第２の収納部から繰り出された第２の金種の紙幣を収納するように、および／または、補充動作時に第２の収納部に補充するための第２の金種の紙幣を繰り出すように構成されている。
【００１７】
このように本発明では、第１の収納部が、金種別の収納部としての機能に加えて、補充カセットおよび／または回収カセットとしても機能する。これにより、装置内に、金種別の収納部とは異なる機能を有する補充カセットや回収カセットを設けるためのスペースが必要なくなり、紙幣処理装置を小型化することができる。
【図面の簡単な説明】
【００１８】
【図１】本発明の実施形態に係る紙幣処理装置１００の外観斜視図である。
【図２】本発明の実施形態に係る紙幣処理装置１００の内部構成図である。
【図３】本発明の実施形態に係る紙幣処理装置１００の機能ブロック図である。
【図４】収納部５の繰り入れ・繰り出し方式を説明するための模式図である。
【図５Ａ】紙幣処理装置１００内の紙幣を回収する回収処理に係る実施例１を説明するためのフローチャートである。
【図５Ｂ】図５Ａに続く、紙幣処理装置１００内の紙幣を回収する回収処理に係る実施例１を説明するためのフローチャートである。
【図６Ａ】紙幣処理装置１００の回収動作を示す図である。
【図６Ｂ】紙幣処理装置１００の回収動作を示す図である。
【図６Ｃ】紙幣処理装置１００の回収動作を示す図である。
【図７】紙幣処理装置１００内の紙幣を回収する回収処理に係る実施例２を説明するためのフローチャートである。
【図８Ａ】紙幣処理装置１００に紙幣を補充する補充処理に係る実施例を説明するためのフローチャートである。
【図８Ｂ】図８Ａに続く、紙幣処理装置１００に紙幣を補充する補充処理に係る実施例を説明するためのフローチャートである。
【図９Ａ】紙幣処理装置１００の補充動作を示す図である。
【図９Ｂ】紙幣処理装置１００の補充動作を示す図である。
【発明を実施するための形態】
【００１９】
以下、本発明に係る実施形態について図面を参照しながら説明する。なお、各図において同等の機能を有する構成要素には同一の符号を付す。
【００２０】
＜紙幣処理装置１００＞
まず、図１〜図３を参照して、本発明の実施形態に係る紙幣処理装置１００について説明する。図１は紙幣処理装置１００の外観斜視図であり、図２は紙幣処理装置１００の内部構成図である。図３は、紙幣処理装置１００の機能ブロック図である。
【００２１】
紙幣処理装置１００は、入金機能、出金機能、補充（装填）機能および回収機能を有する。入金機能は、顧客から受け取った紙幣を装置内に収納するための機能である。出金機能は、顧客に紙幣を渡すために、装置内の紙幣を出金口（後述の出金部１５）から出金するための機能である。装填機能は、紙幣処理装置１００に紙幣を補充するための機能である。回収機能は、装置内の紙幣の在高を適切に維持するために、装置内の紙幣を装置外に回収するための機能である。
【００２２】
紙幣処理装置１００は、図１〜図３に示すように、装置本体部（筐体）１と、入金部２と、搬送部３と、識別部４と、収納部５（第１の収納部）と、収納部６（第２の収納部）と、収納部７（第３の収納部）と、制御部８と、在高確定部９と、出金部１５と、リジェクト部１６と、記憶部１７と、通信部１８と、入力部１９とを備えている。以下、各構成要素について説明する。
【００２３】
入金部２は、装置本体部１内に紙幣を入金するように構成されている。より詳しくは、入金部２は、外部から紙幣を受け入れ、受け入れた紙幣を搬送部３に１枚ずつ繰出す。なお、入金部２は、紙幣収納カセット（図示せず）が取り付け可能であり、紙幣収納カセットから繰り出された紙幣を入金するように構成されていてもよい。
【００２４】
搬送部３は、装置本体部１内に設けられ、紙幣を搬送するように構成されている。入金時においては、搬送部３は、入金部２から繰り出され、装置本体部１内に受け入れた紙幣を収納部５〜７または出金部１５に搬送する。また、出金時においては、搬送部３は、収納部５〜７に収納された紙幣を出金部１５またはリジェクト部１６に搬送する。また、搬送部３は、後述するように、収納部５，６，７間で紙幣を搬送する。
【００２５】
識別部４は、搬送部３に設けられている。識別部４は、例えば、図２に示すように、収納部５と、収納部６，７との間における搬送部３に設けられている。
【００２６】
識別部４は、搬送部３により搬送される紙幣の識別および計数を行う。識別部４は、各種センサ（例えば、磁気センサ、蛍光センサ、金属スレッドセンサ、厚みセンサ、イメージセンサ等）を有する。
【００２７】
収納部５〜７は、通常運用時において、搬送部３により搬送された紙幣を収納し、また、収納した紙幣を繰り出し可能に構成されている。ここで、「通常運用時」とは、回収動作および補充動作を行っていない時を指し、例えば、入金時または出金時である。
【００２８】
収納部５は、図２に示すように、一時保留部５ａと、集積部５ｂとを有する。同様に、収納部６は一時保留部６ａと集積部６ｂとを有し、収納部７は一時保留部７ａと集積部７ｂとを有する。一時保留部５ａ〜７ａは、所定枚数（例えば１００枚）の紙幣を一時的に保留する。集積部５ｂ〜７ｂは、一時保留部５ａ〜７ａの下方に設けられている。集積部５ｂ〜７ｂは、上下に移動可能なステージを有し、このステージの上に紙幣が集積される。
【００２９】
収納部５〜７は、一時保留部５ａ〜７ａの紙幣が所定枚数に達した場合、あるいは、制御部８から収納指示を受信した場合に、一時保留部５ａ〜７ａに保留された紙幣を集積部５ｂ〜７ｂに収納する。
【００３０】
収納部５〜７は、通常運用時において、金種別に紙幣を収納する。具体的には、収納部５は、識別部４により５千円（第１の金種）であると識別された紙幣を収納する。収納部６は、識別部４により一万円（第２の金種）であると識別された紙幣を収納する。収納部７は、識別部４により千円（第３の金種）であると識別された紙幣を収納する。
【００３１】
なお、収納部５は、五千円以外の金種（千円または一万円）を収納してもよい。好ましくは、収納部５は、紙幣処理装置１００が取り扱う金種のうち最も流通量の少ない金種を収納する。また、収納部の数は、３つに限るものではなく、２つでもよいし、４つ以上でもよい。例えば、紙幣処理装置１００は、取り扱う金種の数に応じた数の収納部を備える。
【００３２】
また、収納部５〜７が収納する金種は設定可能であってもよい。例えば、操作者は入力部１９を介して収納部５〜７が収納する金種をそれぞれ設定することが可能である。金種が設定された場合、設定情報は記憶部１７に記憶される。
【００３３】
３つの収納部５〜７のうち、収納部５は、紙幣処理装置１００の装置本体部１に着脱可能に構成された紙幣収納カセットである。収納部５は、回収動作時においては機内の紙幣を回収する回収カセットとして機能し、補充動作時においては機内に紙幣を補充する補充カセットとして機能する。
【００３４】
即ち、収納部５は、回収動作時に、収納部６から繰り出された一万円札、および収納部７から繰り出された千円札を収納するように構成されている。さらに、収納部５は、補充動作時に、収納部６に補充するための一万円札、および収納部７に補充するための千円札を繰り出すように構成されている。
【００３５】
なお、収納部５は、回収機能および補充機能のうちいずれか一方のみを有してもよい。
【００３６】
なお、収納部５は、例えば略直方体形状であり、図２および図４（１）に示すように、収納すべき紙幣を所定の面（図２および図４（１）では左側の面）から繰り入れ、収納している紙幣を当該面から繰り出すように構成されており、繰出と繰入を一つの機構で行う。このため、繰出機構と繰入機構をそれぞれ備える紙幣収納カセットと比べて部品点数を少なくできる。また、紙幣収納カセットを小型化することができるとともに、コストも低減することができる。
【００３７】
また、収納部５は、図４（２）に示すように、収納すべき紙幣を第１の面（図４（２）では左側の面）から繰り入れ、収納している紙幣を第１の面と反対側の第２の面から繰り出すように構成されてもよい。この場合、紙幣処理装置１００は、収納部５の第２の面と識別部４とを繋ぐ搬送路をさらに備える。
【００３８】
出金部１５は、図１および図２に示すように、収納部５〜７に収納された紙幣を装置本体部１の外部に出金（投出）するように構成されている。また、出金部１５は、入金部２から入金された紙幣のうち、識別部４によりリジェクト紙幣と識別された紙幣も外部に投出する。
【００３９】
リジェクト部１６は、収納部５〜７に収納された紙幣を出金する場合に、識別部４によりリジェクト紙幣と識別された紙幣を収納する。
【００４０】
記憶部１７は、紙幣処理装置１００を制御する各種プログラムおよびデータを格納する不揮発性メモリ（ＲＯＭ、ＨＤＤ、ＳＳＤ等）と、プログラムのロード領域やプログラム実行時における作業領域となる揮発性メモリ（ＲＡＭ等）を含む。この記憶部１７は、収納部５〜７に収納されている紙幣の在高に関する情報（在高データ）を記憶してもよい。
【００４１】
通信部１８は、紙幣処理装置１００が外部の情報処理装置と通信を行うために設けられている。情報処理装置は、例えば、紙幣処理装置１００の管理装置、チェックアウトカウンター等に配置される紙幣精算装置である。
【００４２】
入力部１９は、操作者の指示を受け付けるように構成されている。例えば、入力部１９は、図１に示すように、装置本体部１の外面に取り付けられたタッチパネルであり、操作者の指示を受け付けるとともに、各種メッセージや紙幣処理結果等を表示する。なお、入力部１９は、タッチパネルに限らず、ボタン類、キーボード、カードリーダ等であってもよい。
【００４３】
制御部８は、記憶部１７に記憶されたプログラムを実行して紙幣処理装置１００の全体を制御するように構成されている。例えば、制御部８は、搬送部３を制御して、ある場所の紙幣を別の場所に搬送する。
【００４４】
在高確定部９は、収納部５〜７に収納されている紙幣の金種ごとの在高を確定する。在高確定部９により確定された在高は記憶部１７に記憶されたり、表示部を兼ねる入力部１９に表示される。なお、制御部８が所定のプログラムを実行することにより、在高確定部９を実現してもよい。
【００４５】
上記のように、本実施形態に係る収納部５は、通常運用時において所定の金種の紙幣を収納する金種別収納部として機能し、回収動作時において回収カセットとして機能し、補充動作時において補充カセットとして機能する。よって、本実施形態によれば、従来のように補充回収カセット専用のスペースを装置本体部１内に設ける必要がなくなり、紙幣処理装置を小型化することができる。
【００４６】
なお、本発明に係る紙幣処理装置は、入金機能および出金機能を有する入出金機でもよいし、あるいは、出金機能を有し、入金機能を有しない出金機でもよい。
【００４７】
次に、上記の紙幣処理装置１００による回収動作に係る２つの実施例について説明する。
【００４８】
＜回収動作の実施例１＞
図５Ａおよび図５Ｂのフローチャート、および、図６Ａ，図６Ｂ、図６Ｃを参照して、紙幣処理装置１００の回収動作に係る実施例１について説明する。図５Ａおよび図５Ｂは、紙幣処理装置１００内の紙幣を回収する回収処理を説明するためのフローチャートである。図６Ａ、図６Ｂおよび図６Ｃは、紙幣処理装置１００の回収動作を示す図である。なお、図６Ａ（１）は、回収動作を始める前の状態を示している。収納部５，６，７には、五千円札、一万円札、千円札がそれぞれ収納されている。
【００４９】
まず、図６Ａ（２）に示すように、制御部８が、収納部５に収納された五千円札が収納部６に搬送されるように搬送部３を制御するとともに、識別部４が、収納部５から収納部６に搬送される五千円札の枚数を計数する（ステップＳ１１）。ステップＳ１１において識別部４によりリジェクト紙幣と識別された紙幣は、収納部６ではなく、リジェクト部１６に搬送される。
【００５０】
より詳しくは、ステップＳ１１では以下のように紙幣の搬送制御が行われる。収納部６に搬送された五千円札は、図６Ａ（２）に示すように、一時保留部６ａに保留される。一時保留部６ａが一杯になった場合には、図６Ｂ（１）に示すように、五千円札は集積部６ｂに収納される。さらに五千円札が収納部６に搬送されて一時保留部６ａおよび集積部６ｂが一杯になった場合には、制御部８は搬送部３を制御し、収納部５に収納されていた五千円札を収納部７に搬送する。収納部７に搬送された五千円札は、図６Ｂ（２）に示すように、一時保留部７ａに保留される。一時保留部７ａが一杯になった場合には、五千円札は集積部７ｂに収納される。さらに五千円札が収納部７に搬送されて一時保留部７ａおよび集積部７ｂが一杯になった場合には、制御部８は、搬送部３を制御し、収納部５に収納されていた五千円札をリジェクト部１６に搬送する。
【００５１】
なお、制御部８は、収納部５に収納された五千円札が収納部６または収納部７に適宜振り分けられるように搬送部３を制御してもよい。例えば、制御部８は、収納部５に収納された五千円札が所定枚数ごとに収納部６と収納部７に交互に搬送されるように搬送部３を制御してもよい。
【００５２】
搬送部３による五千円札の搬送、および識別部４による五千円札の計数が完了すると、在高確定部９が、収納部５に収納された五千円札の在高を確定する（ステップＳ１２）。在高確定部９は確定した在高を記憶部１７に記憶してもよいし、入力部１９に表示してもよい。
【００５３】
次に、図６Ｃ（１）に示すように、制御部８が、収納部６に収納された五千円札が収納部５に戻し入れられるように搬送部３を制御する（ステップＳ１３）。なお、五千円札が収納部７にも収納されている場合には、制御部８は、収納部７に収納された五千円札が収納部５に戻し入れられるように搬送部３を制御する。
【００５４】
より詳しくは、ステップＳ１３では以下のように紙幣の搬送制御が行われる。収納部６に収納された紙幣が順次繰り出されてゆき、収納部６から収納部５に搬送される紙幣が識別部４により一万円札と識別された場合、制御部８は収納部６からの紙幣の繰出を停止する。そして、制御部８は、搬送路上にある紙幣（五千円札と一万円札）が収納部５に搬送されるように搬送部３を制御し、当該紙幣を一時保留部５ａに保留する。
【００５５】
その後、制御部８は、一時保留部５ａに保留された紙幣（五千円札と一万円札）を繰り出し、識別部４で五千円札と識別された紙幣が収納部７に搬送され、一万円札と識別された紙幣が収納部６に搬送されるように搬送部３を制御する。
【００５６】
そして、一時保留部５ａの紙幣が全て無くなると、制御部８は一時保留部５ａからの繰出を停止する。ステップＳ１３において識別部４によりリジェクト紙幣と識別された紙幣は、リジェクト部１６に搬送される。
【００５７】
次に、図６Ｃ（１）に示すように、制御部８は、収納部７に収納された五千円札が収納部５に戻し入れられるように搬送部３を制御し、収納部７に収納された千円札が収納部５に回収されるように搬送部３を制御するとともに、識別部４は、収納部７から収納部５に搬送される千円札の枚数を計数する（ステップＳ１４）。ステップＳ１４において識別部４によりリジェクト紙幣と識別された紙幣は、収納部５ではなく、リジェクト部１６に搬送される。
【００５８】
搬送部３による千円札の搬送、および識別部４による千円札の計数が完了すると、在高確定部９が、収納部７に収納された千円札の在高を確定する（ステップＳ１５）。
【００５９】
収納部７に収納されていた全ての紙幣（五千円札と千円札）が収納部５に搬送されると、図６Ｃ（２）に示すように、制御部８は、収納部６に収納されている一万円札が収納部５に搬送されるように搬送部３を制御するとともに、識別部４が、収納部６から収納部５に搬送される一万円札の枚数を計数する（ステップＳ１６）。ステップＳ１６において識別部４によりリジェクト紙幣と識別された紙幣は、収納部５ではなく、リジェクト部１６に搬送される。
【００６０】
搬送部３による一万円札の搬送、および識別部４による一万円札の計数が完了すると、在高確定部９が、収納部６に収納された一万円札の在高を確定する（ステップＳ１７）。
【００６１】
上記の回収動作を行うことにより、収納部５〜７に収納されていた紙幣が、収納部５の下から五千円札、千円札、一万円札の順に集積された状態に回収される。なお、一万円札と千円札の回収順序は上記と逆であってもよい。
【００６２】
実施例１では、回収動作時に、収納部５に割り当てられた金種（五千円）の在高を確定させてから収納部６，７に割り当てられた金種（一万円、千円）の在高を確定させる。このため、後述の補充動作による説明から理解されるように、収納部５に回収した紙幣を次回（例えば翌朝）に装填する際における紙幣の装填時間を短くすることができる。
【００６３】
このように実施例１では、収納部５から収納部６，７に搬送される途中（往路）で五千円札の計数を行い、収納部５に収納された五千円札の在高を確定する。
【００６４】
＜回収動作の実施例２＞
次に、図７のフローチャートを参照して、紙幣処理装置１００の回収動作に係る実施例２について説明する。実施例２と実施例１との相違点は、五千円札を計数するタイミングである。即ち、実施例１では五千円札を往路で計数したのに対し、実施例２では収納部６，７から収納部５に搬送される途中（復路）で五千円札を計数する。なお、回収動作を始める前の状態では、実施例１と同様に、収納部５，６，７には、五千円札、一万円札、千円札がそれぞれ収納されている（図６Ａ（１）参照）。
【００６５】
まず、制御部８が、収納部５に収納された五千円札が収納部６に搬送されるように搬送部３を制御する（ステップＳ２１）。ステップＳ２１において識別部４によりリジェクト紙幣と識別された紙幣は、収納部６ではなく、リジェクト部１６に搬送される。
【００６６】
より詳しくは、ステップＳ２１では以下のように紙幣の搬送制御が行われる。収納部６に搬送された五千円札は、一時保留部６ａに保留される。一時保留部６ａが一杯になった場合には、五千円札は集積部６ｂに収納される。さらに五千円札が収納部６に搬送されて一時保留部６ａおよび集積部６ｂが一杯になった場合には、制御部８は搬送部３を制御し、収納部５に収納されていた五千円札を収納部７に搬送する。収納部７に搬送された五千円札は、一時保留部７ａに保留される。一時保留部７ａが一杯になった場合には、五千円札は集積部７ｂに収納される。さらに五千円札が収納部７に搬送されて一時保留部７ａおよび集積部７ｂが一杯になった場合には、制御部８は、搬送部３を制御し、収納部５に収納されていた五千円札をリジェクト部１６に搬送する。ステップＳ２１において識別部４によりリジェクト紙幣と識別された紙幣は、リジェクト部１６に搬送される。
【００６７】
次に、制御部８が、収納部６に収納された五千円札が収納部５に戻し入れられるように搬送部３を制御するとともに、識別部４が、収納部６から収納部５に搬送される五千円札の枚数を計数する（ステップＳ２２）。なお、五千円札が収納部７にも収納されている場合には、制御部８は、収納部７に収納された五千円札が収納部５に戻し入れられるように搬送部３を制御する。
【００６８】
より詳しくは、ステップＳ２２では以下のように紙幣の搬送制御が行われる。収納部６に収納された紙幣が順次繰り出されてゆき、収納部６から収納部５に搬送される紙幣が識別部４により一万円札と識別された場合、制御部８は収納部６からの紙幣の繰出を停止する。そして、制御部８は、搬送路上にある紙幣（五千円札と一万円札）が収納部５に搬送されるように搬送部３を制御し、当該紙幣を一時保留部５ａに保留する。
【００６９】
その後、制御部８は、一時保留部５ａに保留された紙幣（五千円札と一万円札）を繰り出し、識別部４で五千円札と識別された紙幣が収納部７に搬送され、一万円札と識別された紙幣が収納部６に搬送されるように搬送部３を制御する。
【００７０】
そして、一時保留部５ａの紙幣が全て無くなると、制御部８は一時保留部５ａからの繰出を停止する。ステップＳ２２において識別部４によりリジェクト紙幣と識別された紙幣は、リジェクト部１６に搬送される。
【００７１】
次に、制御部８が、収納部７に収納された五千円札が収納部５に戻し入れられるように搬送部３を制御し、収納部７に収納された千円札が収納部５に回収されるように搬送部３を制御するとともに、識別部４が、収納部７から収納部５に搬送される五千円札および千円札の枚数を計数する（ステップＳ２３）。
【００７２】
搬送部３による五千円札と千円札の搬送、および識別部４による五千円札と千円札の計数が完了すると、在高確定部９が、収納部５に収納された五千円札および千円札の在高を確定する（ステップＳ２４）。
【００７３】
ステップＳ２４以降のステップは、実施例１で説明したステップＳ１６以降と同様であるので、詳しい説明は省略する。
【００７４】
実施例２では、実施例１と同様に、回収動作時に、収納部５に割り当てられた金種（五千円）の在高を確定させてから収納部６，７に割り当てられた金種（一万円、千円）の在高を確定させる。このため、収納部５に回収した紙幣を次回（例えば翌朝）に装填する際における紙幣の装填時間を短くすることができる。
【００７５】
さらに、実施例２では、収納部６，７から収納部５に搬送される途中（復路）で五千円札の計数を行い、収納部５に収納された五千円札の在高を確定する。このため、より確実に五千円札の枚数を計数し在高を確定させることができる。
【００７６】
実施例１，２で説明した回収動作では、収納部５と収納部６，７との間で五千円札を搬送する際に識別部４により五千円札の計数を行い、収納部５の在高を確定したが、これに限らず、次に説明するように、操作者の入力に基づいて在高を確定してもよい。
【００７７】
入力部１９は、操作者の入力操作により、収納部５に収納されている五千円札の枚数、または金額（例えば五千円札の枚数×５０００）を入力する。そして、在高確定部９は、回収動作時において、入力部１９を介して入力された五千円札の枚数、または金額に基づいて、五千円札の在高を確定する。入力部１９が五千円札の枚数を入力した場合、在高確定部９は、その枚数を五千円札の在高とする。また、入力部１９が金額を入力した場合、在高確定部９は、その金額を５０００で割って得られた数を五千円札の在高とする。
【００７８】
なお、入力部１９は、記憶部１７に記憶された在高データに基づいて収納部５に収納されている五千円札の枚数を表示するとともに、確認ボタンを表示してもよい。そして、在高確定部９は、確認ボタンが操作者によりクリックされた場合に、入力部１９に表示された五千円札の枚数を五千円札の在高とする。
【００７９】
また、一万円札および千円札の在高の確定方法については、五千円札の場合と同様に、入力部１９が入力した情報に基づいて在高を確定してもよいし、あるいは、上記の実施例１，２と同様に識別部４による計数結果に基づいて在高を確定してもよい。
【００８０】
次に、上記の紙幣処理装置１００による補充動作に係る実施例について説明する。
【００８１】
＜補充動作の実施例＞
図８Ａおよび図８Ｂのフローチャート、および、図９Ａ，図９Ｂを参照して、紙幣処理装置１００の補充動作に係る実施例について説明する。図８Ａおよび図８Ｂは、紙幣処理装置１００に紙幣を補充する補充処理を説明するためのフローチャートである。図９Ａおよび図９Ｂは、紙幣処理装置１００の補充動作を示す図である。
【００８２】
補充動作の開始前において、装置本体部１に装着された収納部５には、図９Ａ（１）に示すように、下から五千円札、千円札、一万円札の順に紙幣が収納されている。なお、この収納順序は一例に過ぎず、五千円札が一番下に収納されていればよい。より一般的に言えば、通常運用時において収納部５に収納される金種の紙幣が一番下（あるいは一番奥）に収納されていればよい。よって、千円札と一万円札の収納順序が逆でもよいし、あるいは、千円札と一万円札が混在してもよい。
【００８３】
まず、図９Ａ（２）に示すように、制御部８が、収納部５に収納された一万円札が収納部６に搬送されるように搬送部３を制御するとともに、識別部４が、収納部５から収納部６に搬送される一万円札の枚数を計数する（ステップＳ３１）。ステップＳ３１において識別部４によりリジェクト紙幣と識別された紙幣は、収納部６ではなく、リジェクト部１６に搬送される。
【００８４】
搬送部３による一万円札の搬送、および識別部４による一万円札の計数が完了すると、在高確定部９が、収納部５に収納された一万円札の在高を確定する（ステップＳ３２）。
【００８５】
次に、図９Ｂ（１）に示すように、制御部８が、収納部５に収納された千円札が収納部７に搬送されるように搬送部３を制御するとともに、識別部４が、収納部５から収納部７に搬送される千円札の枚数を計数する（ステップＳ３３）。  ステップＳ３３において識別部４によりリジェクト紙幣と識別された紙幣は、収納部７ではなく、リジェクト部１６に搬送される。
【００８６】
搬送部３による千円札の搬送、および識別部４による千円札の計数が完了すると、在高確定部９が、収納部５に収納された千円札の在高を確定する（ステップＳ３４）。
【００８７】
次に、図９Ｂ（２）に示すように、制御部８が、収納部５に収納された五千円札が収納部６に搬送されるように搬送部３を制御するとともに、識別部４が、収納部５から収納部６に搬送される五千円札の枚数を計数する（ステップＳ３５）。ステップＳ３５において識別部４によりリジェクト紙幣と識別された紙幣は、収納部６ではなく、リジェクト部１６に搬送される。
【００８８】
収納部６に搬送された五千円札は一時保留部６ａに保留される。なお、一時保留部６ａが一杯になった場合には、図９Ｂ（２）に示すように、制御部８は搬送部３を制御し、収納部５に収納された五千円札を収納部７に搬送する。収納部７に搬送された五千円札は、一時保留部７ａに保留される。
【００８９】
搬送部３による五千円札の搬送、および識別部４による五千円札の計数が完了すると、在高確定部９が、収納部５に収納された五千円札の在高を確定する（ステップＳ３６）。
【００９０】
次に、制御部８が、収納部６に収納された五千円札が収納部５に戻し入れられるように搬送部３を制御する（ステップＳ３７）。より詳しくは、収納部６の一時保留部６ａに保留された五千円札が収納部５に戻し入れられる。また、五千円札が一時保留部７ａにも保留されている場合には、一時保留部７ａに保留された五千円札は収納部５に戻し入れられる。これにより、前述の図６Ａ（１）に示すように、収納部５，６，７に、五千円札、一万円札、千円札がそれぞれ収納された状態となる。
【００９１】
なお、識別部４は、収納部６に収納された五千円札を収納部５に戻し入れる際に（即ち、復路において）、五千円札の枚数の計数を行ってもよい。
【００９２】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００９３】
１  装置本体部（筐体）
２  入金部
３  搬送部
４  識別部
５  収納部（紙幣収納カセット）
６，７  収納部
５ａ，６ａ，７ａ  一時保留部
５ｂ，６ｂ，７ｂ  集積部
８  制御部
９  在高確定部
１５  出金部
１６  リジェクト部
１７  記憶部
１８  通信部
１９  入力部
１００  紙幣処理装置
【図１】
2016170668.tif 000003
【図２】
2016170668.tif 000004
【図３】
2016170668.tif 000005
【図４】
2016170668.tif 000006
【図５Ａ】
2016170668.tif 000007
【図５Ｂ】
2016170668.tif 000008
【図６Ａ】
2016170668.tif 000009
【図６Ｂ】
2016170668.tif 000010
【図６Ｃ】
2016170668.tif 000011
【図７】
2016170668.tif 000012
【図８Ａ】
2016170668.tif 000013
【図８Ｂ】
2016170668.tif 000014
【図９Ａ】
2016170668.tif 000015
【図９Ｂ】
2016170668.tif 000016